(57)【要約】【課題】端面をほぼ均一に鏡面加工することができる合成樹脂板の鏡面加工方法及びその装置を提供する。【解決手段】予め射出成形された合成樹脂板及び先端に直線刃を有した切削刃が設けられた回転体を相対移動させながら切削刃により合成樹脂板の端面を極浅に切削して鏡面加工する。合成樹脂板の端面に対して回転体の軸線を、切削刃の直線刃が点接触、線接触及び点接触の順に接触して切削するように傾けると共に回転体及び合成樹脂板を相対移動させる際に合成樹脂板端面の非ゲート部位においては高速度、ゲート部位においては低速度で可変速制御する。【選択図】        図１
2004148468.tif 000002
【特許請求の範囲】
【請求項１】
予め射出成形された合成樹脂板及び先端に直線刃を有した切削刃が設けられた回転体を相対移動させながら切削刃により合成樹脂板の端面を極浅に切削する方法において、合成樹脂板の端面に対して回転体の軸線を、切削刃の直線刃が点接触、線接触及び点接触の順に接触して切削するように傾けると共に回転体及び合成樹脂板を相対移動させる際に合成樹脂板端面の非ゲート部位においては高速度、ゲート部位においては低速度で可変速制御する合成樹脂板の鏡面加工方法。
【請求項２】
請求項１において、回転体による端面切削に先立って合成樹脂板の端面を所定の幅で荒切削する合成樹脂板の鏡面加工方法。
【請求項３】
本体フレーム上に設けられ、合成樹脂板を、被加工端面が所定の幅で突出するように固定する支持体と、合成樹脂板の端面に対して軸線が支持体の移動方向及び上下方向へ微小角度で傾斜して回転するように設けられる回転体と、支持体及び回転体を相対移動する移動部材と、回転体の少なくとも一部にて刃先が合成樹脂板の端面側に突出し、刃先が少なくとも合成樹脂板の厚さ以上の長さからなる直線刃を有した切削刃と、回転体を回転する回転部材と、回転体に対して支持体を、合成樹脂板の非ゲート部位が位置する際に支持体及び回転体の相対移動速度を高速度制御すると共にゲート部位が位置する際に支持体及び回転体の相対移動速度で低速度制御する制御手段とを備えた合成樹脂板の鏡面加工装置。
【請求項４】
請求項３において、支持体に合成樹脂板を固定する際に支持体上の合成樹脂板を押圧部材によりストッパー側に向かって押圧して被加工側端面を定規出しする定規出し部材を設けた合成樹脂板の鏡面加工装置。
【請求項５】
請求項３において、回転体の前段に合成樹脂板の端面を所定の幅で荒切削する荒切削部材を設けた合成樹脂板の鏡面加工装置。
【発明の詳細な説明】
【０００１】
【発明が属する技術分野】
本発明は、例えば液晶ディスプレイのバックライト用導光板等に使用する合成樹脂板の端面を鏡面加工する合成樹脂板の鏡面加工方法及びその装置          に関する。
【０００２】
【従来技術】
合成樹脂板の端面を鏡面加工する方法及び装置として、例えば特許文献１に示すように合成樹脂板、アルミニューム板等の軟質板材（９）を一定速度で直線移動させつつ、回転体（１）に取り付けた切削刃（３）によって該軟質板材（９）の端面（９１）を極浅に切削して表面加工する方法において回転体（１）の軸心（１０）を、該軸心（１０）と軟質板材（９）の端面（９１）とが成す角度ａが鋭角となり、且つ切削刃（３）の直線状刃先（３１）が軟質板材（９）の端面（９１）に線当たりとなる様に、軟質板材（９）の端面（９１）を切削することを特徴としている。
【０００３】
即ち、回転体（１）の回転により、切削刃（３）の線状刃先（３１）は、表面加工すべき軟質板材（９）の端面（９１）に対して線当たりとなるため、従来の様に、刃先（３１）が端面（９１）に対して点当たりになることにより円弧状引っ掻き跡が隣り合って連続する模様が生じるのを防止している。
【０００４】
また、軟質板材（９）の端面（９１）と回転体（１）の軸心（１０）の成す角度ａとが、鋭角となる様に設定し、切削刃（３）の線状刃先（３１）が、端面（９１）に直接に線状に極浅に食い込んで瞬時に逃げるようにすることにより切削刃（３）が切削すべき端面（９１）以外の部分に衝突したり、食い込んだりするのを防止している。
【０００５】
【特許文献１】
特開２００１−３３４４０４号公報（図１）
【０００６】
【発明が解決しようとする課題】
しかし、上記した特許文献１による鏡面加工方法を、合成樹脂板、特に合成樹脂製導光板に適用した場合、以下の問題が生じている。
【０００７】
即ち、鏡面加工される被加工素材としての合成樹脂板自体、予め射出成形機により成形されたものを使用している。この合成樹脂板を成形する際には、型締めされた一対の金型のゲートを介してキャビィティ内に溶融樹脂を射出して成形しているが、合成樹脂板のゲート部位は高い射出圧で圧縮された状態で硬化しているため、その応力が高くなり、他の部位に比べて樹脂自体が硬くなっている。
【０００８】
このような特性を有した合成樹脂板を、一定の速度で定速送りしながら回転する切削刃により切削して鏡面加工すると、高い応力の硬い部位（ゲート箇所）と低い応力の軟らかい部位（非ゲート箇所）とでは、均一に鏡面加工することができなかった。
【０００９】
特に、上記した液晶ディスプレイにおいてバックライト用導光板として使用する合成樹脂板にあっては、板内部にて光をほぼ均一に導光させるには端面から光を効率的に入射させる必要があり、このために端面を高い精度で鏡面加工する必要があるが、上記した従来の方法では、端面をほぼ均一に鏡面加工することが困難であった。
【００１０】
本発明は、上記した従来の欠点を解決するために発明されたもので、その課題とする処は、応力が不均一に分布した端面をほぼ均一な精度で鏡面加工することができる合成樹脂板の鏡面加工方法及びその装置を提供することにある。
【００１１】
【課題を解決するための手段】
本発明の請求項１に係る合成樹脂板の鏡面加工方法は、予め射出成形された合成樹脂板及び先端に直線刃を有した切削刃が設けられた回転体を相対移動させながら切削刃により合成樹脂板の端面を極浅に切削する方法において、合成樹脂板の端面に対して回転体の軸線を、切削刃の直線刃が点接触、線接触及び点接触の順に接触して切削するように傾けると共に回転体及び合成樹脂板を相対移動させる際に合成樹脂板端面の非ゲート部位においては高速度、ゲート部位においては低速度で可変速制御することを特徴とする。
【００１２】
請求項３に係る合成樹脂板の鏡面加工装置は、本体フレーム上に設けられ、合成樹脂板を、被加工端面が所定の幅で突出するように固定する支持体と、合成樹脂板の端面に対して軸線が支持体の移動方向及び上下方向へ微小角度で傾斜して回転するように設けられる回転体と、支持体及び回転体を相対移動する移動部材と、回転体の少なくとも一部にて刃先が合成樹脂板の端面側に突出し、刃先が少なくとも合成樹脂板の厚さ以上の長さからなる直線刃を有した切削刃と、回転体を回転する回転部材と、回転体に対して支持体を、合成樹脂板の非ゲート部位が位置する際に支持体及び回転体の相対移動速度を高速度制御すると共にゲート部位が位置する際に支持体及び回転体の相対移動速度で低速度制御する制御手段とを備えたことを特徴とする。
【００１３】
【発明の実施形態】
以下、本発明方法を具体化した装置例に従って鏡面加工方法及び装置を説明する。
【００１４】
図１〜図７において、本発明を具体化した合成樹脂板の鏡面加工装置１の本体フレーム３には図示する左右方向へ延出するレール５が設けられ、該レール５には支持体としての支持台７が左右方向へ往復移動可能に支持される。
【００１５】
該支持台７の駆動機構としては、例えばサーボモータ等の電動モータ９に連結されて本体フレーム３に回転可能に支持された送りねじ１１を、支持台７に設けられたナット（図示せず）に噛み合せた送りねじ駆動機構、本体フレーム３の長手方向端に回転可能に支持され、一方に対応するサーボモータ等の電動モータが連結された一対の歯付きプーリ等の回転体に張設されたベルトの一部を支持台７に固定した無端ベルト駆動機構、本体フレーム３の両端に端部が固定された歯付きベルトに、支持台７に設けられたサーボモータ等の電動モータの回転軸に設けられた歯付きプーリを噛み合せた有端ベルト駆動機構（いずれも図示せず）等の何れの駆動機構であってもよい。
【００１６】
また、電動モータを、本体フレーム３に設けられる長尺状の固定子と走行部に設けられる可動子から構成されるリニアサーボモータ（図示せず）としてもよい。
【００１７】
そして支持台７の被加工側端縁には左右方向に延出し、各端部が支持台７に設けられたエアーシリンダー等の上下作動部材１３に連結された押圧部材１５が設けられ、該押圧部材１５は下方へ移動された際に、支持台７上に載置された合成樹脂板１７の被加工側端縁を長手方向の全体にわたって押圧して挟持することにより固定させる。
【００１８】
また、支持台７の図示する一方側部（図は左端側の場合を示す）には位置決め用ストッパー１９が設けられると共に他方側部（図は右端側の場合を示す）にはエアーシリンダー等の側方押圧部材２１が位置決め用ストッパー１９に相対して夫々設けられる。
【００１９】
更に、支持台７の図示する前端部にはエアーシリンダー等の前端押圧部材２３が設けられている。これら位置決め用ストッパー１９、側方押圧部材２１及び前端押圧部材２３は、合成樹脂板１７の平面形状（大きさ）に応じてそれぞれの取付け位置が可変調整できるように設けられる。
【００２０】
そして上記支持台７は、図示する右側から左側に設けられる定規出し部２５、荒削り部２７及び鏡面加工部２９に対して順次、移動される。
【００２１】
定規出し部２５の本体フレーム３には左右一対の前後ストッパー３１が、支持台７上に固定された合成樹脂板１７における被加工側端面の左右端部に応じた箇所にて前後方向へ移動調整できるように設けられている。これら前後ストッパー３１は支持台７上に載置された合成樹脂板１７が前端押圧部材２３により後方へ押圧された際に、支持台７の後端から突出する合成樹脂板１７の被加工側端面の左右端部にそれぞれ当接して合成樹脂板１７の突出幅が一定になるように定規出しする。尚、図において定規出し部２５により定規出しされた合成樹脂板１７における端面の位置を仮想線Ｌ１（図１２に示す）で示す。
【００２２】
荒削り部２７は本体フレーム３に固定された取付けベース３３に対して上下方向に軸線を有した電動モータ３５と、該電動モータ３５の回転軸３５ａに取付けられ、外周に多数の切削刃を有した回転刃３７とから構成される。そして荒削り部２７は図示する右方から左方に向って移動する支持台７に固定された合成樹脂板１７の被加工側端縁を上記仮想線Ｌ１に対し、仮想線Ｌ２（図１２に示す）になる所定幅で荒削りする。
【００２３】
鏡面加工部２９は荒削り部２７により荒削りされた合成樹脂板１７の被加工側端面を微小切削して鏡面加工するもので、鏡面加工された端面を仮想線Ｌ３（図１２に示す）で示す。
【００２４】
本体フレーム３には鏡面加工部２９の取付けベース３９が４個の固定ねじ４１により固定されている。該取付けベース３９の平面部３９ａには固定ねじ４１より大径の透孔３９ｃが形成され、各透孔に対する各固定ねじ４１の固定位置に応じて本体フレーム３に対して取付けベース３９を、図示する左右方向へ角度調整可能に固定させる。
【００２５】
取付けベース３９における平面部３９ａの左右側面側に位置する本体フレーム３には４個の位置調整部材４０が設けられ、これら位置調整部材４０により左右方向に対する取付けベース３９の固定角度、具体的には合成樹脂板１７の端面に対して取付けベース３９の前後方向が鋭角であるα（図１３に示す）となるように微調整可能に構成している。
【００２６】
これら位置調整部材４０は本体フレーム３に固定されるブラケット４０ａと、各ブラケット４０ａに対して螺進可能に噛み合わされて取付けベース３９の平面部３９ａの左右端面の前部及び後部に対して個々に当接する調整ねじ４０ｂとから構成され、これを左右角度調整機構とする。
【００２７】
尚、取付けベース３９は本体フレーム３に対して図示する前後方向へも位置調整可能であるが、説明の便宜上、本体フレーム３に対して取付けベース３９を図示する左右方向へ角度調整可能にするものとして説明する。
【００２８】
取付け部３９ｂの取付け面には図示する前後方向へ延出する上下一対のレール４３が固定され、これらレール４３には前後可動板４５が前後方向へ移動するように支持される。そして取付け部３９ｂの前部には前後可動板４５の前端面に当接して前後方向に対する移動量を設定するための前後ストッパー４７が移動調整可能に設けられている。また、取付け部３９ｂの後端部には前後可動板４５を前後方向へ移動するエアーシリンダー等の前後作動部材４８が設けられている。
【００２９】
前後作動部材４８により前方へ移動する前後可動板４５に対する前後ストッパー４７の当接間隔により合成樹脂板１７における端面の鏡面加工時における切削幅を適宜設定可能にしている。
【００３０】
前後可動板４５の上部には取付板４９がセンター軸５０により揺動可能に軸支される。また、前後可動板４５における上部の前後側には軸支部５１がそれぞれ設けられ、各軸支部５１には後述する調整ねじ５３の軸部を回動操作可能に軸支する。各調整ねじ５３の先端部に設けられたねじ部５３ａは取付板４９の前後側に回動するように軸支されたナット部５５に噛み合わされる。
【００３１】
そして上記取付板４９は各調整ねじ５３の回動操作によりセンター軸５０を中心に前後側にて上下方向へ微小角度β（図１４に示す）で揺動して後述する電動モータ５７、従って回転刃体５９の軸線を上下方向へ変位させる。これを上下角度調整機構とする。
【００３２】
取付板４９には前後方向に軸線を有した電動モータ５７が設けられ、該電動モータ５７の回転軸には鏡面加工用の回転刃体５９が、合成樹脂板１７の送り方向と反対方向へ回転するように取付けられている。
【００３３】
回転刃体５９は、例えばアルミニウムや炭素繊維等の強化繊維を含有した複合樹脂により円盤状に形成された刃物ホルダー６１と、刃物ホルダー６１の直径線上の外周側に形成された２個の凹所６１ａの内、一方の凹所６１ａに固定される切削刃６３とから構成される。尚、他方の凹所６１ａには切削刃６３とほぼ一致する重量のバランサ６５が取付けられる。
【００３４】
上記切削刃６３は鏡面加工される合成樹脂板１７の厚さより長い直線状刃先を有し、前述したように合成樹脂板１７における端面に対する取付けベース３９の左右方向への傾き及び取付板４９の上下方向への傾きに応じた任意の角度で直線状刃先を、合成樹脂板１７の端面に対して点接触、線接触及び点接触の順に当接し、かつ所望の扇形の深さで切削する。
【００３５】
即ち、合成樹脂板１７の端面に対して回転刃体５９の軸線を図示する左右方向へ傾けるのは、例えば合成樹脂板１７の端面に対して回転刃体５９の軸線を直交する方向に向けた場合、回転刃体５９の切削刃６３は合成樹脂板１７の端面下端に対して直線的に接触して切削することになり、接触開始時の回転抵抗が大きくなって合成樹脂板１７の被加工側端部が大きく振動し、鏡面加工精度を悪くする原因になっている。これを回避するため、合成樹脂板１７の端面に対して回転刃体５９の軸線を図示する左右方向へ傾けることにより合成樹脂板１７の端面下端に対して回転刃体５９の切削刃６３の刃先を点接触させて接触開始時の回転抵抗を少なくしている。
【００３６】
また、回転刃体５９の切削刃６３は、合成樹脂板１７の端面を扇形に削り取るように切削することになるが、合成樹脂板１７の端面に対して回転刃体５９の軸線を図示する上下方向へ傾けることにより扇形の切削深さ及び切削面積を調整するようにしている。
【００３７】
合成樹脂板１７における端面の鏡面加工精度は、上記した端面に対する回転刃体５９軸線を左右方向及び上下方向へ傾けることによる相互作用により決定されるものであり、一方のみで端面の加工精度が決定されるものではない。
【００３８】
図８において、制御手段１０１のＣＰＵ１０３にはプログラムメモリ１０５及び作業メモリ１０７を備え、プログラムメモリ１０５は合成樹脂板１７の端面を鏡面加工するためのプログラムデータを記憶する。また、作業メモリ１０７は支持台７の移動速度データを記憶する速度データ記憶領域１０７ａ、合成樹脂板１７の寸法を記憶する寸法記憶領域１０７ｂ、合成樹脂板１７の端面におけるゲート位置を記憶するゲート位置記憶領域１０７ｃ及びゲート部位の幅データ記憶領域１０７ｄ等を有している。
【００３９】
速度データ記憶領域１０７ａに記憶されるデータとしては、合成樹脂板１７における非ゲート部位を切削加工する際に支持台７を高速度で移動させるための高速度データ、ゲート部位を切削加工する際に支持台７を低速度で移動させるための低速移動データである。寸法記憶領域１０７ｂに記憶される合成樹脂板１７のデータとしては、切削加工される合成樹脂板１７における端面の長手方向幅である。ゲート位置記憶領域１０７ｃに記憶されるデータとしては、切削加工される合成樹脂板１７における端面の、例えば図示する左端からゲート位置までの距離データである。幅データ記憶領域１０７ｄに記憶されるデータとしては、合成樹脂板１７を切削加工する際に支持台７を低速度で移動させるゲート位置を中心とする左右方向の幅データである。
【００４０】
尚、支持体７上に載置されて固定された合成樹脂板１７の図示する左端と鏡面加工部２９における加工位置との間隔は、予め設定されており、この間隔と合成樹脂板１７の寸法データやゲート位置データ等に基づいて後述するように支持台７を可変速で移動制御させる。
【００４１】
ＣＰＵ１０３には設定装置１０９がインターフェース１１１を介して接続されている。設定装置１０９は設定モード切換手段１０９ａ、テンキー等のデータ入力手段１０９ｂ、ＬＣＤ等の表示手段１０９ｃ等を備えている。
【００４２】
そして例えば設定モード切換手段１０９ａを速度設定モードに切換えた後にデータ入力手段１０９ｂを操作して支持台７を高速度及び低速度で移動させるための移動データを入力して速度データ記憶領域１０７ａに記憶させる。設定モード切換手段１０９ａを寸法設定モードに切換えた後にデータ入力手段１０９ｂを操作して切削加工される合成樹脂板１７における加工側端面の寸法データを入力して寸法記憶領域１０７ｂに記憶させる。設定モード切換手段１０９ａをゲート位置設定モードに切換えた後にデータ入力手段１０９ｂを操作して切削加工される合成樹脂板１７端面におけるゲート位置、例えば端からゲート位置までの距離を入力してゲート位置記憶領域１０７ｃに記憶させる。設定モード切換手段１０９ａを低速領域設定モードに切換えた後にデータ入力手段１０９ｂを操作して合成樹脂板１７の端面を切削する際にゲート部位に応じて支持台７を低速移動させる幅に関するデータを入力して幅データ記憶領域１０７ｄに記憶させる。また、上記により入力される各種のデータは表示手段１０９ｃに表示して作業者に確認可能にさせる。
【００４３】
ＣＰＵ１０３には駆動制御手段１１３が接続され、該駆動制御手段１１３は電動モータ９を駆動制御して合成樹脂板１７における端面の非ゲート部位を切削加工する際には高速度で、またゲート部位を切削加工する際には低速度で支持台７を可変速移動させる。
【００４４】
次に、鏡面加工装置１による合成樹脂板１７端面の鏡面加工方法及びその作用を説明する。
【００４５】
先ず、図１０に実線及び一点鎖線で示すように支持台７の上面に鏡面加工される合成樹脂板１７を載置した状態で前端押圧部材２３を作動し、支持された合成樹脂板１７を後方へ移動してその被加工側端面の図示する左右端部をそれぞれの前後ストッパー３１前端面に当接させて前後方向を位置決めした後、側方押圧部材２１を作動して支持された合成樹脂板１７の図示する左端を位置決め用ストッパー１９に当接させて左右方向を位置決めする。そして上記状態にて上下作動部材１３を作動して下動する押圧部材１５により支持台７に支持された合成樹脂板１７の非加工側端縁を押圧して挟持固定させる。
【００４６】
上記した合成樹脂板１７は、例えば液晶ディスプレイにおけるバックライトの導光板として使用するもので、予め射出成形機により射出成形される。この合成樹脂板１７における被加工側端縁の金型ゲートに対応するゲート部位１７ａは溶融した合成樹脂が高圧で射出注入されることにより硬化後に高い応力が残留し、非ゲート部位に対して硬度が硬くなっている。図９は合成樹脂板１７における非加工側端縁における応力の分布状態を示し、応力を示す線の相互間隔が密な状態は応力が高く、その硬度が硬くなったことを示す。従って、合成樹脂板１７におけるゲート部位においては、ゲートの箇所が一番硬く、ゲートから離れるに従って徐々に柔らかくなる。
【００４７】
次に、上記状態で電動モータ９を回転駆動し、支持台７を鏡面加工部２９に向って移動しながら支持台７上に固定された合成樹脂板１７の被加工側端縁を、図１２に示すように電動モータ３５の駆動により所定方向へ回転する回転刃３７により（Ｌ１−Ｌ２）の切削幅で荒切削した後、電動モータ５７の駆動により所定方向へ回転する回転刃体５９により荒削りされた合成樹脂板１７の被加工側端面を（Ｌ２−Ｌ３）の幅で切削して鏡面加工する。
【００４８】
このとき、図１１に示すように支持台７上に固定された合成樹脂板１７における端面が寸法記憶領域１０７ｂ、ゲート位置記憶領域１０７ｃ及び幅データ記憶領域１０７ｄに記憶されたそれぞれのデータからゲート部位（ゲート部位とは、ゲート位置を中心に図示する左右方向へ所定の幅をもった領域を意味する）以外の非ゲート部位においては、制御手段１０１は電動モータ９を、速度データ領域１０７ａに記憶された高速度データに基づいて駆動制御して支持台７を高速移動させながら端面を鏡面加工させる一方、構成樹脂板１７のゲート部位を切削する際には、上記したように応力が高く、硬くなっているため、支持台７を高速度で移動させながら切削すると、高い精度で端面を切削することができず、鏡面加工精度が悪くなる。
【００４９】
このため、合成樹脂板１７における端面のゲート部位が回転刃体５９に到達すると、制御手段１０１は電動モータ９を、速度データ領域１０７ａに記憶された低速度データに切換えて駆動制御することにより支持台７を低速移動させながら端面を鏡面加工させる。
【００５０】
具体的には、ゲート部位における硬さに応じて支持台７の移動速度を徐々に低速度となるように可変速制御すればよく、例えばゲートに対応する箇所において最低速度となるように，またその周辺においてはゲート箇所より速度を若干速くしてもよい。
【００５１】
また、回転刃体５９による合成樹脂板１７端面の鏡面加工時においては、合成樹脂板１７の端面に対して回転刃体５９の軸線が左右方向へ偏位して傾いているため、図１３に示すように合成樹脂板１７における端面に対して回転する切削刃６３の直線状刃先を点接触させて切削開始した後に線接触させながら扇形に切削し、次いで点接触した状態で切削を終了させるように切削して鏡面加工する。
【００５２】
更に、合成樹脂板１７における端面を切削刃６３の直線状刃先により扇形に切削して鏡面加工する際に、図１４に示すように該端面に対して回転刃体５９の軸線が上下方向へ偏位して傾いているため、上下方向の傾きに応じた深さ（切削幅及び大きさ）の扇形に切削しながら鏡面加工する。
【００５３】
本実施形態は、合成樹脂板１７における端面の応力が低い非ゲート部位を切削して鏡面加工する際には、支持台７、従って合成樹脂板１７を高速度で移動させながら切削する一方、応力が高く、硬いゲート部位を切削する際には支持台７、従って合成樹脂板１７を低速度で移動させながら切削することにより端面をほぼ均一な精度で鏡面加工することができる。
【００５４】
本発明は、以下のように変更実施することができる。
１．合成樹脂板１７の被加工側端面に対して取付けベース３９を図示する左右方向へ傾ける角度調整構造としては、図１５に示すように平面部３９ａの一方部に固定ねじ４１にほぼ一致する大きさの支点孔３９ｃを設けると共に右側に２個の長孔３９ｄを、支点孔３９ｃを中心とする同一円弧上に設け、各支点孔３９ｃ・長孔３９ｄを挿通する固定ねじ４１を緩めた状態で本体フレーム３に対して取付けベース３９を左右方向へ傾動して所望の角度に微調整した後に夫々の固定ねじ４１をねじ締めして固定するようにしてもよい。
【００５５】
２．上記説明において回転刃体５９を回転させる電動モータ５７が取付けられる取付板４９を前後２個の調整ねじ５３により回転刃体５９の軸線が上下方向へ変位するように傾動させる構成としたが、回転刃体５９による合成樹脂板１７の端面の鏡面加工時には切削抵抗により取付板４９自体が振動して上記した変位状態が微妙に変化するおそれがある。
【００５６】
これを防止するため、図１６に示すように取付板４９の前後方向の中間部の上部及び下部に固定ねじ１５１をそれぞれ回転可能に軸支すると共に相対する前後可動板４５の相対箇所にセンター軸５０を中心とする円弧状の長孔１５３を形成し、該長孔１５３及び前後可動板４５の孔４５ａをそれぞれ挿通する固定ねじ１５１のねじ部１５１ａにナット１５５を噛み合わせて所望の傾動状態で取付板４９を固定可能にしてもよい。
【００５７】
尚、図１６においては、実施形態と同一の部材については、同一符号を付してその説明を省略する。
【００５８】
３．上記説明は、本体フレーム３に固定的に配置された荒削り部２７及び鏡面加工部２９に対して合成樹脂板１７が固定された支持台７を移動してその端面を鏡面加工するものとしたが、本発明においては、本体フレームに固定的に設けられた支持台に対し、少なくとも鏡面加工部を可変速移動制御して合成樹脂板の端面を鏡面加工してもよい。
【００５９】
【発明の効果】
本発明は、硬さが不均一な状態の端面をほぼ均一な精度で鏡面加工することができる。
【図面の簡単な説明】
【図１】合成樹脂板鏡面加工装置の正面図である。
【図２】合成樹脂板鏡面加工装置の平面図である。
【図３】定規出し部の斜視図である。
【図４】荒削り部の斜視図である。
【図５】鏡面加工部の斜視図である。
【図６】鏡面加工部における左右角度調整機構を示す説明図である。
【図７】鏡面加工部における上下角度調整機構を示す説明図である。
【図８】鏡面加工装置の制御手段を示す電気的ブロック図である。
【図９】合成樹脂板における応力の分布状態を示す説明図である。
【図１０】合成樹脂板の定規出し状態を示す説明図である。
【図１１】鏡面加工時における支持台の移動速度状態を示す説明図である。
【図１２】各切削状態を示す説明図である。
【図１３】合成樹脂板端面に対する回転刃体の左右傾動状態を示す説明図である。
【図１４】合成樹脂板端面に対する回転刃体の上下傾動状態を示す説明図である。
【図１５】左右角度調整機構の変更実施形態を示す説明図である。
【図１６】取付板の角度固定手段を示す説明図である。
【符号の説明】
１−鏡面加工装置、７−支持体としての支持台、９−移動部材としての電動モータ、１７−合成樹脂板、５９−回転刃体、６１−刃物ホルダー、６３−切削刃
【図１】
2004148468.tif 000003
【図２】
2004148468.tif 000004
【図３】
2004148468.tif 000005
【図４】
2004148468.tif 000006
【図５】
2004148468.tif 000007
【図６】
2004148468.tif 000008
【図７】
2004148468.tif 000009
【図８】
2004148468.tif 000010
【図９】
2004148468.tif 000011
【図１０】
2004148468.tif 000012
【図１１】
2004148468.tif 000013
【図１２】
2004148468.tif 000014
【図１３】
2004148468.tif 000015
【図１４】
2004148468.tif 000016
【図１５】
2004148468.tif 000017
【図１６】
2004148468.tif 000018